(57)【特許請求の範囲】
【請求項１】
所定の色のインクを吐出し且つインクジェット記録装置のキャリッジに搭載される前記インクジェット記録装置のインクジェットヘッドを形成するヘッドユニットであって、
前記インクを貯留する前記インクジェット記録装置の第一タンクから供給された前記インクを貯留する第二タンクと、
前記インクを吐出する複数のノズルが形成されたノズルプレートと、
前記ノズルプレートに形成された前記複数のノズルのうち、第一ノズル群を形成する複数の第一ノズルに繋がり且つ前記第一ノズル群の各第一ノズルに前記第二タンクから供給された前記インクを流す第一インク流路が形成され、前記複数の第一ノズルへとそれぞれ繋がる前記第一インク流路の各支流部に前記複数の第一ノズルのそれぞれに対応して設けられた、前記第一ノズルから前記インクを吐出させる複数の駆動素子を備える第一流路モジュールと、
前記第二タンクと前記第一流路モジュールとを繋ぎ、前記第二タンクから前記第一流路モジュールに供給される前記インクが流れる第一接続部と、
前記ノズルプレートに形成された前記複数のノズルのうち、第二ノズル群を形成する複数の第二ノズルに繋がり且つ前記第二ノズル群の各第二ノズルに前記第二タンクから供給された前記インクを流す第二インク流路が形成され、前記複数の第二ノズルへとそれぞれ繋がる前記第二インク流路の各支流部に前記複数の第二ノズルのそれぞれに対応して設けられた、前記第二ノズルから前記インクを吐出させる複数の駆動素子を備える第二流路モジュールと、
前記第二タンクと前記第二流路モジュールとを繋ぎ、前記第二タンクから前記第二流路モジュールに供給される前記インクが流れる第二接続部と、
前記ノズルプレートが取り付けられ、前記第一流路モジュールと前記第二流路モジュールとが隣り合う状態で取り付けられ、前記ノズルプレートと、前記第一流路モジュール及び前記第二流路モジュールと、を接続するフレームと、を備え、
前記第二タンクは、全体が前記第一流路モジュールと前記第二流路モジュールとの上方に設けられ、
前記第一流路モジュールと前記第二流路モジュールとは、前記フレームに着脱自在に取り付けられる、ヘッドユニット。
【請求項２】
前記フレームに対する前記第一流路モジュールの位置を合わせる第一位置決め部と、
前記フレームに対する前記第二流路モジュールの位置を合わせる第二位置決め部と、
前記フレームに対する前記ノズルプレートの位置を合わせる第三位置決め部と、を備える、請求項１に記載のヘッドユニット。
【請求項３】
所定の色のインクを貯留する第一タンクと、
前記インクを吐出し、複数のヘッドユニットにより形成されるインクジェットヘッドと、
前記インクジェットヘッドが搭載されるキャリッジと、
前記第一タンクと前記複数のヘッドユニットとを繋ぎ、前記第一タンクから前記複数のヘッドユニットに供給される前記インクが流れる供給チューブと、を備え、
前記供給チューブは、前記複数のヘッドユニットの側に分岐し、前記複数のヘッドユニットのそれぞれと繋がる複数のチューブ部分を含み、
前記ヘッドユニットは、
前記チューブ部分と繋がり、前記第一タンクから供給された前記インクを貯留する第二タンクと、
前記インクを吐出する複数のノズルが形成されたノズルプレートと、
前記ノズルプレートに形成された前記複数のノズルのうち、第一ノズル群を形成する複数の第一ノズルに繋がり且つ前記第一ノズル群の各第一ノズルに前記第二タンクから供給された前記インクを流す第一インク流路が形成され、前記複数の第一ノズルへとそれぞれ繋がる前記第一インク流路の各支流部に前記複数の第一ノズルのそれぞれに対応して設けられた、前記第一ノズルから前記インクを吐出させる複数の駆動素子を備える第一流路モジュールと、
前記第二タンクと前記第一流路モジュールとを繋ぎ、前記第二タンクから前記第一流路モジュールに供給される前記インクが流れる第一接続部と、
前記ノズルプレートに形成された前記複数のノズルのうち、第二ノズル群を形成する複数の第二ノズルに繋がり且つ前記第二ノズル群の各第二ノズルに前記第二タンクから供給された前記インクを流す第二インク流路が形成され、前記複数の第二ノズルへとそれぞれ繋がる前記第二インク流路の各支流部に前記複数の第二ノズルのそれぞれに対応して設けられた、前記第二ノズルから前記インクを吐出させる複数の駆動素子を備える第二流路モジュールと、
前記第二タンクと前記第二流路モジュールとを繋ぎ、前記第二タンクから前記第二流路モジュールに供給される前記インクが流れる第二接続部と、
前記ノズルプレートが取り付けられ、前記第一流路モジュールと前記第二流路モジュールとが隣り合う状態で取り付けられ、前記ノズルプレートと、前記第一流路モジュール及び前記第二流路モジュールと、を接続するフレームと、を備え、
前記第二タンクは、全体が前記第一流路モジュールと前記第二流路モジュールとの上方に設けられ、
前記第一流路モジュールと前記第二流路モジュールとは、前記フレームに着脱自在に取り付けられる、インクジェット記録装置。
【発明の詳細な説明】
【技術分野】
【０００１】
本発明は、インクジェットヘッドを形成するヘッドユニットと、ヘッドユニットにより形成されるインクジェットヘッドを備えるインクジェット記録装置に関する。
【背景技術】
【０００２】
インクジェットに関する技術が提案されている。例えば、特許文献１には、インクジェット記録装置が開示されている。インクジェット記録装置は、複数のヘッド部と、複数の接続ユニットと、固定部材を備える。複数のヘッド部は、キャリッジの底板に設けられた開口部を通じてインクを吐出するノズルを有し、キャリッジの底板に対して着脱可能に立設して所定の方向に沿って並ぶ。複数の接続ユニットは、ヘッド部を駆動する駆動電圧をヘッド部に出力する基盤を有し、ヘッド部の各々に対して個別に載置されてヘッド部と電気的に接続される。固定部材は、複数の接続ユニットの各々の上端部と当接した状態でキャリッジに着脱可能に固定され、底板と協働して複数のヘッド部及び複数の接続ユニットを挟持する。特許文献２には、印字ヘッドアセンブリが開示されている。
【先行技術文献】
【特許文献】
【０００３】
【特許文献１】特開２０１３−７５３６１号公報
【特許文献２】特開２００９−２７９９４０号公報
【発明の概要】
【発明が解決しようとする課題】
【０００４】
インクジェット記録装置は、記録媒体に画像を高品質に記録することができる。そのため、インクジェット記録装置は、家庭用途の他、産業分野においても利用されている。産業分野で利用されるインクジェット記録装置は、大きな記録媒体を対象として効率よく画像を記録するため、例えば、家庭用のインクジェット記録装置と比較すると極めて大きなインクジェットヘッドを備える。画像形成物の生産現場では、記録媒体を連続的にインクジェット記録装置に投入し、連続して画像形成物を生産する場合があり、多量のインクが消費される。画像形成物の生産途中にインクジェットヘッドが故障する場合もある。このような故障は、画像形成物の生産性を低下させる原因となる。
【０００５】
本発明は、多量のインク消費にも対応可能で且つ故障の際のメンテナンス性に優れた小型のインクジェットヘッドを形成するヘッドユニットとインクジェット記録装置を提供することを目的とする。
【課題を解決するための手段】
【０００６】
本発明の一側面は、所定の色のインクを吐出し且つインクジェット記録装置のキャリッジに搭載される前記インクジェット記録装置のインクジェットヘッドを形成するヘッドユニットであって、前記インクを貯留する前記インクジェット記録装置の第一タンクから供給された前記インクを貯留する第二タンクと、前記インクを吐出する複数のノズルが形成されたノズルプレートと、前記ノズルプレートに形成された前記複数のノズルのうち、第一ノズル群を形成する複数の第一ノズルに繋がり且つ前記第一ノズル群の各第一ノズルに前記第二タンクから供給された前記インクを流す第一インク流路が形成され、前記複数の第一ノズルへとそれぞれ繋がる前記第一インク流路の各支流部に前記複数の第一ノズルのそれぞれに対応して設けられた、前記第一ノズルから前記インクを吐出させる複数の駆動素子を備える第一流路モジュールと、前記第二タンクと前記第一流路モジュールとを繋ぎ、前記第二タンクから前記第一流路モジュールに供給される前記インクが流れる第一接続部と、前記ノズルプレートに形成された前記複数のノズルのうち、第二ノズル群を形成する複数の第二ノズルに繋がり且つ前記第二ノズル群の各第二ノズルに前記第二タンクから供給された前記インクを流す第二インク流路が形成され、前記複数の第二ノズルへとそれぞれ繋がる前記第二インク流路の各支流部に前記複数の第二ノズルのそれぞれに対応して設けられた、前記第二ノズルから前記インクを吐出させる複数の駆動素子を備える第二流路モジュールと、前記第二タンクと前記第二流路モジュールとを繋ぎ、前記第二タンクから前記第二流路モジュールに供給される前記インクが流れる第二接続部と、前記ノズルプレートが取り付けられ、前記第一流路モジュールと前記第二流路モジュールとが隣り合う状態で取り付けられ、前記ノズルプレートと、前記第一流路モジュール及び前記第二流路モジュールと、を接続するフレームと、を備え、前記第二タンクは、全体が前記第一流路モジュールと前記第二流路モジュールとの上方に設けられ、前記第一流路モジュールと前記第二流路モジュールとは、前記フレームに着脱自在に取り付けられる、ヘッドユニットである。
【０００７】
これによれば、複数の流路モジュールに対して１つの第二タンクからインクを供給することができる。複数の流路モジュールのそれぞれに対して第二タンクに相当するタンクを設けた構成と比較し、シンプルなヘッドユニットとすることができる。ノズルプレートと第一流路モジュール及び第二流路モジュールはフレームを介して接続されるため、これらを、例えば、接着剤又はねじによって直接接続する必要がない。第一流路モジュール又は第二流路モジュールを個別に取り替えることができる。第一流路モジュールが故障した場合、第一流路モジュールのみを交換し、第二流路モジュールが故障した場合、第二流路モジュールのみを交換することができる。
【０００８】
このヘッドユニットは、前記フレームに対する前記第一流路モジュールの位置を合わせる第一位置決め部と、前記フレームに対する前記第二流路モジュールの位置を合わせる第二位置決め部と、前記フレームに対する前記ノズルプレートの位置を合わせる第三位置決め部と、を備える、ようにしてもよい。これによれば、フレームに対して、第一流路モジュールと第二流路モジュールとノズルプレートを精度よく取り付けることができる。第一流路モジュールに形成された第一インク流路の各支流部と、ノズルプレートに形成された第一ノズル群の各第一ノズルを連続した状態とすることができる。第二流路モジュールに形成された第二インク流路の各支流部と、ノズルプレートに形成された第二ノズル群の各第二ノズルを連続した状態とすることができる。
【０００９】
本発明の他の側面は、所定の色のインクを貯留する第一タンクと、前記インクを吐出し、複数のヘッドユニットにより形成されるインクジェットヘッドと、前記インクジェットヘッドが搭載されるキャリッジと、前記第一タンクと前記複数のヘッドユニットとを繋ぎ、前記第一タンクから前記複数のヘッドユニットに供給される前記インクが流れる供給チューブと、を備え、前記供給チューブは、前記複数のヘッドユニットの側に分岐し、前記複数のヘッドユニットのそれぞれと繋がる複数のチューブ部分を含み、前記ヘッドユニットは、前記チューブ部分と繋がり、前記第一タンクから供給された前記インクを貯留する第二タンクと、前記インクを吐出する複数のノズルが形成されたノズルプレートと、前記ノズルプレートに形成された前記複数のノズルのうち、第一ノズル群を形成する複数の第一ノズルに繋がり且つ前記第一ノズル群の各第一ノズルに前記第二タンクから供給された前記インクを流す第一インク流路が形成され、前記複数の第一ノズルへとそれぞれ繋がる前記第一インク流路の各支流部に前記複数の第一ノズルのそれぞれに対応して設けられた、前記第一ノズルから前記インクを吐出させる複数の駆動素子を備える第一流路モジュールと、前記第二タンクと前記第一流路モジュールとを繋ぎ、前記第二タンクから前記第一流路モジュールに供給される前記インクが流れる第一接続部と、前記ノズルプレートに形成された前記複数のノズルのうち、第二ノズル群を形成する複数の第二ノズルに繋がり且つ前記第二ノズル群の各第二ノズルに前記第二タンクから供給された前記インクを流す第二インク流路が形成され、前記複数の第二ノズルへとそれぞれ繋がる前記第二インク流路の各支流部に前記複数の第二ノズルのそれぞれに対応して設けられた、前記第二ノズルから前記インクを吐出させる複数の駆動素子を備える第二流路モジュールと、前記第二タンクと前記第二流路モジュールとを繋ぎ、前記第二タンクから前記第二流路モジュールに供給される前記インクが流れる第二接続部と、前記ノズルプレートが取り付けられ、前記第一流路モジュールと前記第二流路モジュールとが隣り合う状態で取り付けられ、前記ノズルプレートと、前記第一流路モジュール及び前記第二流路モジュールと、を接続するフレームと、を備え、前記第二タンクは、全体が前記第一流路モジュールと前記第二流路モジュールとの上方に設けられ、前記第一流路モジュールと前記第二流路モジュールとは、前記フレームに着脱自在に取り付けられる、インクジェット記録装置である。
【００１０】
これによれば、複数の流路モジュールに対して１つの第二タンクからインクを供給することができる。複数の流路モジュールのそれぞれに対して第二タンクに相当するタンクを設けた構成と比較し、シンプルなインクジェット記録装置とすることができる。ノズルプレートと第一流路モジュール及び第二流路モジュールはフレームを介して接続されるため、これらを、例えば、接着剤又はねじによって直接接続する必要がない。第一流路モジュール又は第二流路モジュールを個別に取り替えることができる。第一流路モジュールが故障した場合、第一流路モジュールのみを交換し、第二流路モジュールが故障した場合、第二流路モジュールのみを交換することができる。このインクジェット記録装置において、ヘッドユニットは、更に上述した各構成を含むようにしてもよい。
【発明の効果】
【００１１】
本発明によれば、多量のインク消費にも対応可能で且つ故障の際のメンテナンス性に優れた小型のインクジェットヘッドを形成するヘッドユニットを得ることができる。小型のインクジェットヘッドにより、インクジェット記録装置の小型化を実現することができる。
【図面の簡単な説明】
【００１２】
【図１】インクジェット記録装置の概略構成を示す斜視図である。
【図２】複数のヘッドユニットにより形成されたインクジェットヘッドの概略構成を示す斜視図である。
【図３】ヘッドユニットの概略構成を示す斜視図である。
【図４】流路モジュールとフレームとノズルプレートの概略構成を示す斜視図である。
【図５】流路モジュールの内部構造を示す図であって、図３のＭ−Ｎ−Ｏ−Ｐ線断面図である。
【発明を実施するための形態】
【００１３】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１４】
＜インクジェット記録装置＞
インクジェット記録装置１０について、図１及び図２を参照して説明する。インクジェット記録装置１０では、記録媒体１４が搬送され、記録媒体１４の記録面１５に画像が記録される。インクジェット記録装置１０では、各種の記録媒体１４を対象として画像が記録される。記録媒体１４としては、例えば、布帛又は建築用資材が挙げられる。本実施形態では、記録媒体１４が長尺状の布帛である場合を例に説明する。また、画像の記録に用いられるインク色は、ブラック、マゼンタ、イエロー及びシアンの４色とする。インク色は、これら以外の色であってもよい。インク色数は、３色以下又は５色以上としてもよい。図１で搬送方向の下流側に図示された記録媒体１４の部分に付した網点模様は、記録媒体１４に記録された画像に対応する。
【００１５】
インクジェット記録装置１０は、図１に示すように、搬送部２０と、記録部３０と、移動部４０と、第一タンク５０Ｋ，５０Ｍ，５０Ｙ，５０Ｃを備える。搬送部２０は、記録媒体１４を、記録媒体１４の長手方向に沿って搬送する。搬送部２０によって搬送される記録媒体１４は、記録部３０を通過する。本実施形態では、搬送部２０によって記録媒体１４が搬送される方向を「搬送方向」という。搬送方向は、記録媒体１４の長手方向に沿った方向であって、記録媒体１４の短手方向に直交する方向である。記録媒体１４の短手方向は、記録媒体１４の幅方向であって、後述するように記録部３０が移動部４０により往復移動される方向（主走査方向）に一致する。本実施形態では、搬送方向及びこれと反対方向を、記録媒体１４の長手方向に準じ「長手方向」という。なお、搬送方向及びこれと反対方向は、前述した主走査方向に対して「副走査方向」と称されることもある。搬送方向及びこれと反対方向のそれぞれに直交する方向を、記録媒体１４の短手方向に準じ「短手方向」という。
【００１６】
記録部３０は、インクジェットヘッド３１Ｋ，３１Ｍ，３１Ｙ，３１Ｃと、キャリッジ３４を備える。インクジェットヘッド３１Ｋは、ブラックインクを吐出し、ブラックインクにより画像を記録するインクジェットヘッドである。インクジェットヘッド３１Ｋには、ブラックインクを吐出するノズル３２が複数形成される。インクジェットヘッド３１Ｍは、マゼンタインクを吐出し、マゼンタインクにより画像を記録するインクジェットヘッドである。インクジェットヘッド３１Ｍには、マゼンタインクを吐出するノズル３２が複数形成される。インクジェットヘッド３１Ｙは、イエローインクを吐出し、イエローインクにより画像を記録するインクジェットヘッドである。インクジェットヘッド３１Ｙには、イエローインクを吐出するノズル３２が複数形成される。インクジェットヘッド３１Ｃは、シアンインクを吐出し、シアンインクにより画像を記録するインクジェットヘッドである。インクジェットヘッド３１Ｃには、シアンインクを吐出するノズル３２が複数形成される。
【００１７】
インクジェットヘッド３１Ｋ，３１Ｍ，３１Ｙ，３１Ｃは、同様の構成を有する。本実施形態では、インクジェットヘッド３１Ｋ，３１Ｍ，３１Ｙ，３１Ｃを区別せず、又は、これらを総称する場合、「インクジェットヘッド３１」という。
【００１８】
各色用のインクジェットヘッド３１は、複数のヘッドユニット６０により形成される（図２参照）。具体的に、インクジェットヘッド３１は、長手方向に配列された一群のヘッドユニット６０を、短手方向に複数配列して形成される。短手方向の一方側（例えば、「第一側」  図１参照）で長手方向に配列された複数のヘッドユニット６０による第一ユニット列と、短手方向の他方側（例えば、「第二側」  図１参照）で長手方向に配列された複数のヘッドユニット６０による第二ユニット列は、図２に示すように、長手方向に所定量だけずれた状態で配置される。第一ユニット列又は第二ユニット列で、２個のヘッドユニット６０が長手方向に隣り合う領域には、ノズル３２が存在しない長手方向の領域が形成される。第一ユニット列と第二ユニット列を長手方向にずらして設けることで、一方のユニット列においてノズル３２が存在しない長手方向の領域に対応させて、他方のユニット列を構成するヘッドユニット６０のノズル３２を重畳配置することができる。
【００１９】
図２では、長手方向に５個のヘッドユニット６０を配列して１列のユニット列とし、このユニット列を短手方向に２列設けた構成としているが、このような構成は、例示である。長手方向に配列させるヘッドユニット６０の数と短手方向におけるユニット列の数は、図２とは異なる数としてもよい。ヘッドユニット６０に関するこの他の説明は、後述する。
【００２０】
キャリッジ３４には、インクジェットヘッド３１Ｋ，３１Ｍ，３１Ｙ，３１Ｃが所定の位置に位置決めされた状態でそれぞれ搭載される。インクジェットヘッド３１Ｋ，３１Ｍ，３１Ｙ，３１Ｃは、図１に示すように、短手方向に隣り合った状態でキャリッジ３４に搭載される。各色用のインクジェットヘッド３１の配列順序は、図１とは異なる順序としてもよい。これらの配列順序は、諸条件を考慮して適宜決定される。
【００２１】
移動部４０は、記録部３０を短手方向に往復移動させる。移動部４０は、図１に示すように、２個のプーリ４１，４２と、タイミングベルト４３を含む。２個のプーリ４１，４２は、搬送部２０を基準として、短手方向の両側にそれぞれ設けられる。例えば、プーリ４１には、モータ（不図示）が連結され、プーリ４２は、回転自在に支持される。プーリ４１は、モータの回転に伴い回転する。タイミングベルト４３は、張力が作用した状態でプーリ４１，４２に架け渡される。タイミングベルト４３には、キャリッジ３４に固定された支持部４６を介して記録部３０が取り付けられる。
【００２２】
インクジェット記録装置１０で画像の記録が行われる場合、プーリ４１に連結されたモータが時計回りと反時計回りに往復して回転する。そして、モータの回転に伴い、プーリ４１が左右両側に往復して回転する（プーリ４１の回転方向については、図１でプーリ４１の内側に示す「弧状の矢印」参照）。モータが所定の方向に回転することでプーリ４１が左回転すると、タイミングベルト４３も左回転する。プーリ４２は、左回転するタイミングベルト４３に従動して回転する。これに伴い、記録部３０は、短手方向の第二側から第一側に移動する。記録部３０が短手方向の第一側の移動端に到達すると、モータの回転方向は反転し、プーリ４１は、右回転する。プーリ４１が右回転すると、タイミングベルト４３も右回転する。プーリ４２は、右回転するタイミングベルト４３に従動して回転する。これに伴い、記録部３０は、短手方向の第一側から第二側に移動する。記録部３０が短手方向の第二側の移動端に到達すると、モータの回転方向は再度反転し、プーリ４１は、再度左回転する。移動部４０による記録部３０の短手方向への往復移動は、画像の記録が終了するまで繰り返される。
【００２３】
第一タンク５０Ｋは、ブラックインクを貯留するメインタンクである。第一タンク５０Ｋは、供給チューブ５１Ｋを介してインクジェットヘッド３１Ｋを構成する複数のヘッドユニット６０にそれぞれ接続される。ブラックインクは、第一タンク５０Ｋから流出し、供給チューブ５１Ｋを流れて、インクジェットヘッド３１Ｋを構成する複数のヘッドユニット６０にそれぞれ供給される。第一タンク５０Ｍは、マゼンタインクを貯留するメインタンクである。第一タンク５０Ｍは、供給チューブ５１Ｍを介してインクジェットヘッド３１Ｍを構成する複数のヘッドユニット６０にそれぞれ接続される。マゼンタインクは、第一タンク５０Ｍから流出し、供給チューブ５１Ｍを流れて、インクジェットヘッド３１Ｍを構成する複数のヘッドユニット６０にそれぞれ供給される。
【００２４】
第一タンク５０Ｙは、イエローインクを貯留するメインタンクである。第一タンク５０Ｙは、供給チューブ５１Ｙを介してインクジェットヘッド３１Ｙを構成する複数のヘッドユニット６０にそれぞれ接続される。イエローインクは、第一タンク５０Ｙから流出し、供給チューブ５１Ｙを流れて、インクジェットヘッド３１Ｙを構成する複数のヘッドユニット６０にそれぞれ供給される。第一タンク５０Ｃは、シアンインクを貯留するメインタンクである。第一タンク５０Ｃは、供給チューブ５１Ｃを介してインクジェットヘッド３１Ｃを構成する複数のヘッドユニット６０にそれぞれ接続される。シアンインクは、第一タンク５０Ｃから流出し、供給チューブ５１Ｃを流れて、インクジェットヘッド３１Ｃを構成する複数のヘッドユニット６０にそれぞれ供給される。
【００２５】
図１では、供給チューブ５１Ｋ，５１Ｍ，５１Ｙ，５１Ｃの図示を簡略化している。供給チューブ５１Ｋ，５１Ｍ，５１Ｙ，５１Ｃは、記録部３０の短手方向への往復移動に対応可能な状態で設けられる。本実施形態では、第一タンク５０Ｋ，５０Ｍ，５０Ｙ，５０Ｃを区別せず、又は、これらを総称する場合、「第一タンク５０」という。供給チューブ５１Ｋ，５１Ｍ，５１Ｙ，５１Ｃを区別せず、又は、これらを総称する場合、「供給チューブ５１」という。
【００２６】
インクジェット記録装置１０で、記録部３０を短手方向に往復移動させて記録媒体１４に画像が記録される場合、記録媒体１４は、搬送部２０によって搬送方向に搬送される。搬送部２０による記録媒体１４の搬送は、記録部３０の短手方向への移動に応じて間欠的に行われる。各色のインクは、記録部３０が短手方向に移動している所定のタイミングで、インクジェットヘッド３１Ｋ，３１Ｍ，３１Ｙ，３１Ｃにそれぞれ形成されたノズル３２から、記録媒体１４に向けて吐出される。インクジェットヘッド３１Ｋ，３１Ｍ，３１Ｙ，３１Ｃの各ノズル３２から吐出された各色のインクは、記録媒体１４の記録面１５に着弾する。着弾した各色のインクにより記録媒体１４の記録面１５に画像が記録される。記録媒体１４の記録面１５は、記録媒体１４が記録部３０を通過する際、各色用のインクジェットヘッド３１の吐出面３５（図５参照）と対向する面である。吐出面３５は、各色用のインクジェットヘッド３１でノズル３２が形成された面である。
【００２７】
＜ヘッドユニット＞
ヘッドユニット６０について、図２〜図５を参照して説明する。インクジェットヘッド３１Ｋ，３１Ｍ，３１Ｙ，３１Ｃは、同じヘッドユニット６０を図２に示すように配置して構成される。従って、以下では、インク色を区別することなく説明する。
【００２８】
ヘッドユニット６０は、第二タンク６２と、接続部６３Ａ，６３Ｂ，６３Ｄ，６３Ｅ，６３Ｆ，６３Ｇと、ノズルプレート７０と、流路モジュール８０Ａ，８０Ｂ，８０Ｄ，８０Ｅ，８０Ｆ，８０Ｇと、フレーム９０を備える。ヘッドユニット６０は、これら各部を適宜組み立てて形成される（図３及び図４参照）。図３では、第二タンク６２は２点鎖線で図示され、図４では、第二タンク６２は省略されている。
【００２９】
第二タンク６２は、供給チューブ５１の第一タンク５０の側とは反対側となる端部と接続される（図２参照）。第二タンク６２は、供給チューブ５１を介して第一タンク５０から供給されたインクを貯留するサブタンクである。第二タンク６２は、１個のヘッドユニット６０に１個設けられる。換言すれば、第二タンク６２は、６個の流路モジュール８０Ａ，８０Ｂ，８０Ｄ，８０Ｅ，８０Ｆ，８０Ｇに対して１個設けられる。第二タンク６２は、流路モジュール８０Ａ，８０Ｂ，８０Ｄ，８０Ｅ，８０Ｆ，８０Ｇの上方に設けられる。
【００３０】
接続部６３Ａは、第二タンク６２と流路モジュール８０Ａを繋ぐ（図３参照）。第二タンク６２に貯留されたインクは、第二タンク６２から接続部６３Ａを流れて流路モジュール８０Ａに供給される。接続部６３Ｂは、第二タンク６２と流路モジュール８０Ｂを繋ぐ（図３参照）。第二タンク６２に貯留されたインクは、第二タンク６２から接続部６３Ｂを流れて流路モジュール８０Ｂに供給される。接続部６３Ｄは、第二タンク６２と流路モジュール８０Ｄを繋ぐ（図３参照）。第二タンク６２に貯留されたインクは、第二タンク６２から接続部６３Ｄを流れて流路モジュール８０Ｄに供給される。
【００３１】
接続部６３Ｅは、第二タンク６２と流路モジュール８０Ｅを繋ぐ（図３参照）。第二タンク６２に貯留されたインクは、第二タンク６２から接続部６３Ｅを流れて流路モジュール８０Ｅに供給される。接続部６３Ｆは、第二タンク６２と流路モジュール８０Ｆを繋ぐ（図３参照）。第二タンク６２に貯留されたインクは、第二タンク６２から接続部６３Ｆを流れて流路モジュール８０Ｆに供給される。接続部６３Ｇは、第二タンク６２と流路モジュール８０Ｇを繋ぐ（図３参照）。第二タンク６２に貯留されたインクは、第二タンク６２から接続部６３Ｇを流れて流路モジュール８０Ｇに供給される。本実施形態では、接続部６３Ａ，６３Ｂ，６３Ｄ，６３Ｅ，６３Ｆ，６３Ｇを区別せず、又は、これらを総称する場合、「接続部６３」という。
【００３２】
ノズルプレート７０は、例えば、０．０２ｍｍ〜１ｍｍ程度の板厚の薄板により形成される。ノズルプレート７０には、インクを吐出する複数のノズル３２が形成される（図４参照）。ノズルプレート７０に形成された複数のノズル３２は、ノズル群３３Ａを形成する複数のノズル３２Ａと、ノズル群３３Ｂを形成する複数のノズル３２Ｂと、ノズル群３３Ｄを形成する複数のノズル３２Ｄと、ノズル群３３Ｅを形成する複数のノズル３２Ｅと、ノズル群３３Ｆを形成する複数のノズル３２Ｆと、ノズル群３３Ｇを形成する複数のノズル３２Ｇにそれぞれ分類される。ノズル群３３Ａは流路モジュール８０Ａに対応し、ノズル群３３Ｂは流路モジュール８０Ｂに対応し、ノズル群３３Ｄは流路モジュール８０Ｄに対応する。ノズル群３３Ｅは流路モジュール８０Ｅに対応し、ノズル群３３Ｆは流路モジュール８０Ｆに対応し、ノズル群３３Ｇは流路モジュール８０Ｇに対応する。
【００３３】
ノズル群３３Ａ，３３Ｂ，３３Ｄ，３３Ｅ，３３Ｆ，３３Ｇのそれぞれにおいて、複数のノズル３２Ａ，３２Ｂ，３２Ｄ，３２Ｅ，３２Ｆ，３２Ｇは、千鳥状に配置される。このようなノズル３２Ａ，３２Ｂ，３２Ｄ，３２Ｅ，３２Ｆ，３２Ｇの配置は例示であり、これとは異なる配置としてもよい。本実施形態において、「ノズル３２」は、ノズル３２Ａ，３２Ｂ，３２Ｄ，３２Ｅ，３２Ｆ，３２Ｇの何れかであり、又は、これらを総称するものである。本実施形態では、ノズル群３３Ａ，３３Ｂ，３３Ｄ，３３Ｅ，３３Ｆ，３３Ｇを区別せず、又は、これらを総称する場合、「ノズル群３３」という。
【００３４】
ノズルプレート７０には、位置決め孔７１が形成される。位置決め孔７１は、例えば、４つの角部のうち、対角位置となる２つの角部の内側にそれぞれ形成される（図４参照）。
【００３５】
流路モジュール８０Ａは、接続部６３Ａを介して第二タンク６２から供給されるインクをノズル群３３Ａの複数のノズル３２Ａにそれぞれ流し、各ノズル３２Ａからインクを吐出させるモジュールである。流路モジュール８０Ｂは、接続部６３Ｂを介して第二タンク６２から供給されるインクをノズル群３３Ｂの複数のノズル３２Ｂにそれぞれ流し、各ノズル３２Ｂからインクを吐出させるモジュールである。流路モジュール８０Ｄは、接続部６３Ｄを介して第二タンク６２から供給されるインクをノズル群３３Ｄの複数のノズル３２Ｄにそれぞれ流し、各ノズル３２Ｄからインクを吐出させるモジュールである。流路モジュール８０Ｅは、接続部６３Ｅを介して第二タンク６２から供給されるインクをノズル群３３Ｅの複数のノズル３２Ｅにそれぞれ流し、各ノズル３２Ｅからインクを吐出させるモジュールである。流路モジュール８０Ｆは、接続部６３Ｆを介して第二タンク６２から供給されるインクをノズル群３３Ｆの複数のノズル３２Ｆにそれぞれ流し、各ノズル３２Ｆからインクを吐出させるモジュールである。流路モジュール８０Ｇは、接続部６３Ｇを介して第二タンク６２から供給されるインクをノズル群３３Ｇの複数のノズル３２Ｇにそれぞれ流し、各ノズル３２Ｇからインクを吐出させるモジュールである。流路モジュール８０Ａ，８０Ｂ，８０Ｄ，８０Ｅ，８０Ｆ，８０Ｇは、同様の構成を有する。本実施形態では、流路モジュール８０Ａ，８０Ｂ，８０Ｄ，８０Ｅ，８０Ｆ，８０Ｇを区別せず、又は、これらを総称する場合、「流路モジュール８０」という。
【００３６】
流路モジュール８０には、内部にインク流路８１が形成される（図５参照）。流路モジュール８０は、複数の駆動素子８３を備える（図３〜図５参照）。流路モジュール８０の内部に形成されたインク流路８１は、ヘッドユニット６０として組み立てられた状態（図３参照）において、対応するノズル群３３の複数のノズル３２にそれぞれ繋がる。接続部６３を介して流路モジュール８０に流入したインクは、各ノズル３２へと繋がるインク流路８１の支流部８２を流れて、ノズル３２に到達する。複数の駆動素子８３は、複数のノズル３２へと繋がるインク流路８１の支流部８２に複数のノズル３２のそれぞれに対応して設けられる。各ノズル群３３において複数のノズル３２を千鳥状に配置した本実施形態では、駆動素子８３は、鉛直方向の上側となる流路モジュール８０の面で、短手方向の両側にそれぞれ複数設けられる（図３〜図５参照）。駆動素子８３は、ノズル３２からインクを吐出させる駆動部である。駆動素子８３としては、ピエゾ素子又はヒータが例示される。ピエゾ素子又はヒータのような駆動素子８３の駆動を介したインクの吐出は、公知のインクジェット記録装置と同様に行われる。
【００３７】
長手方向の両側となる流路モジュール８０Ａ，８０Ｂ，８０Ｄ，８０Ｅ，８０Ｆ，８０Ｇの各鍔状部分には、位置決め孔８４Ａ，８４Ｂ，８４Ｄ，８４Ｅ，８４Ｆ，８４Ｇと取付孔８５Ａ，８５Ｂ，８５Ｄ，８５Ｅ，８５Ｆ，８５Ｇがそれぞれ形成される（図４参照）。本実施形態では、２個の位置決め孔８４Ａと２個の取付孔８５Ａは、長手方向に整列した状態で形成される。２個の位置決め孔８４Ｂと２個の取付孔８５Ｂは、長手方向に整列した状態で形成される。２個の位置決め孔８４Ｄと２個の取付孔８５Ｄは、長手方向に整列した状態で形成される。２個の位置決め孔８４Ｅと２個の取付孔８５Ｅは、長手方向に整列した状態で形成される。２個の位置決め孔８４Ｆと２個の取付孔８５Ｆは、長手方向に整列した状態で形成される。２個の位置決め孔８４Ｇと２個の取付孔８５Ｇは、長手方向に整列した状態で形成される。
【００３８】
フレーム９０は、ノズルプレート７０と流路モジュール８０Ａ，８０Ｂ，８０Ｄ，８０Ｅ，８０Ｆ，８０Ｇを接続する。フレーム９０を介して接続されたノズルプレート７０と各流路モジュール８０は、図５に示すような状態となる。ノズルプレート７０は、鉛直方向の下側となるフレーム９０の端面に取り付けられる（図３参照）。ノズルプレート７０のフレーム９０への取り付けには、例えば、接着剤が用いられ、ノズルプレート７０は、フレーム９０に固定される。鉛直方向の下側となるフレーム９０の端面には、位置決めピン９１が設けられる。位置決めピン９１は、例えば、図４に示すように、４つの角部のうち、対角位置となる２つの角部の内側にそれぞれ形成される。ノズルプレート７０は、２個の位置決め孔７１と２本の位置決めピン９１が嵌め合わされた状態でフレーム９０に取り付けられる。
【００３９】
フレーム９０には、開口部９２，９３が形成される（図４参照）。開口部９２，９３は、鉛直方向に貫通し、短手方向に隣り合った状態で形成される。開口部９２には、流路モジュール８０Ａ，８０Ｂ，８０Ｄが装着され、開口部９３には、流路モジュール８０Ｅ，８０Ｆ，８０Ｇが装着される。鉛直方向の上側となるフレーム９０の端面において、開口部９２の開口縁部のうち、長手方向の両側で短手方向に沿った２つの開口縁部には、３本の位置決めピン９４Ａ，９４Ｂ，９４Ｄ（合計６本）がそれぞれ設けられ、３個のねじ孔９５Ａ，９５Ｂ，９５Ｄ（合計６個）がそれぞれ形成される（図４参照）。本実施形態では、２本の位置決めピン９４Ａと２個のねじ孔９５Ａは、長手方向に整列した状態で形成される。２本の位置決めピン９４Ｂと２個のねじ孔９５Ｂは、長手方向に整列した状態で形成される。２本の位置決めピン９４Ｄと２個のねじ孔９５Ｄは、長手方向に整列した状態で形成される。前述した短手方向に沿った開口部９２の各開口縁部で、位置決めピン９４Ａ及びねじ孔９５Ａと位置決めピン９４Ｂ及びねじ孔９５Ｂと位置決めピン９４Ｄ及びねじ孔９５Ｄは、短手方向に一定の間隔で設けられる。
【００４０】
鉛直方向の上側となるフレーム９０の端面において、開口部９３の開口縁部のうち、長手方向の両側で短手方向に沿った２つの開口縁部には、３本の位置決めピン９４Ｅ，９４Ｆ，９４Ｇ（合計６本）がそれぞれ設けられ、３個のねじ孔９５Ｅ，９５Ｆ，９５Ｇ（合計６個）がそれぞれ形成される（図４参照）。本実施形態では、２本の位置決めピン９４Ｅと２個のねじ孔９５Ｅは、長手方向に整列した状態で形成される。２本の位置決めピン９４Ｆと２個のねじ孔９５Ｆは、長手方向に整列した状態で形成される。２本の位置決めピン９４Ｇと２個のねじ孔９５Ｇは、長手方向に整列した状態で形成される。前述した短手方向に沿った開口部９３の各開口縁部で、位置決めピン９４Ｅ及びねじ孔９５Ｅと位置決めピン９４Ｆ及びねじ孔９５Ｆと位置決めピン９４Ｇ及びねじ孔９５Ｇは、短手方向に一定の間隔で設けられる。
【００４１】
流路モジュール８０Ａは、長手方向の各側で位置決め孔８４Ａと位置決めピン９４Ａが嵌め合わされた状態で開口部９２に装着される（図３参照）。そして、流路モジュール８０Ａは、２個の取付孔８５Ａにそれぞれ挿入されねじ孔９５Ａにねじ込まれた２本のねじ９６によってフレーム９０に取り付けられる（図３参照）。流路モジュール８０Ｂは、長手方向の各側で位置決め孔８４Ｂと位置決めピン９４Ｂが嵌め合わされた状態で開口部９２に装着される（図３参照）。そして、流路モジュール８０Ｂは、２個の取付孔８５Ｂにそれぞれ挿入されねじ孔９５Ｂにねじ込まれた２本のねじ９６によってフレーム９０に取り付けられる（図３参照）。流路モジュール８０Ｄは、長手方向の各側で位置決め孔８４Ｄと位置決めピン９４Ｄが嵌め合わされた状態で開口部９２に装着される（図３参照）。そして、流路モジュール８０Ｄは、２個の取付孔８５Ｄにそれぞれ挿入されねじ孔９５Ｄにねじ込まれた２本のねじ９６によってフレーム９０に取り付けられる（図３参照）。
【００４２】
流路モジュール８０Ｅは、長手方向の各側で位置決め孔８４Ｅと位置決めピン９４Ｅが嵌め合わされた状態で開口部９３に装着される（図３参照）。そして、流路モジュール８０Ｅは、２個の取付孔８５Ｅにそれぞれ挿入されねじ孔９５Ｅにねじ込まれた２本のねじ９６によってフレーム９０に取り付けられる（図３参照）。流路モジュール８０Ｆは、長手方向の各側で位置決め孔８４Ｆと位置決めピン９４Ｆが嵌め合わされた状態で開口部９３に装着される（図３参照）。そして、流路モジュール８０Ｆは、２個の取付孔８５Ｆにそれぞれ挿入されねじ孔９５Ｆにねじ込まれた２本のねじ９６によってフレーム９０に取り付けられる（図３参照）。流路モジュール８０Ｇは、長手方向の各側で位置決め孔８４Ｇと位置決めピン９４Ｇが嵌め合わされた状態で開口部９３に装着される（図３参照）。そして、流路モジュール８０Ｇは、２個の取付孔８５Ｇにそれぞれ挿入されねじ孔９５Ｇにねじ込まれた２本のねじ９６によってフレーム９０に取り付けられる（図３参照）。
【００４３】
流路モジュール８０Ａ，８０Ｂ，８０Ｄ，８０Ｅ，８０Ｆ，８０Ｇは、流路モジュール８０Ａ，８０Ｂ，８０Ｄ，８０Ｅ，８０Ｆ，８０Ｇをフレーム９０にそれぞれ取り付けるねじ９６を取り外すことで、フレーム９０から個別に取り外すことができる。
【００４４】
＜本実施形態の効果＞
本実施形態によれば、次のような効果を得ることができる。
【００４５】
（１）インクジェットヘッド３１を複数のヘッドユニット６０で形成することとした（図２参照）。ヘッドユニット６０を、第二タンク６２と、ノズルプレート７０と、複数の接続部６３と、複数の流路モジュール８０と、フレーム９０により形成することとした（図３及び図４参照）。第二タンク６２は、複数の流路モジュール８０の上方に設けられ、第二タンク６２と複数の流路モジュール８０は、複数の接続部６３を介して接続される（図３参照）。ノズルプレート７０と複数の流路モジュール８０は、フレーム９０に取り付けられ、フレーム９０を介して接続される（図３〜図５参照）。その際、複数の流路モジュール８０は、ねじ９６によりフレーム９０に対して着脱自在に取り付けられる（図３参照）。ノズルプレート７０には、複数のノズル群３３に分類させた状態で複数のノズル３２が形成され（図４参照）、流路モジュール８０には、各ノズル群３３の複数のノズル３２に、接続部６３を介して第二タンク６２から供給されたインクが流れるインク流路８１が形成される（図５参照）。また、流路モジュール８０では、複数のノズル３２にそれぞれ繋がるインク流路８１の各支流部８２に、複数のノズル３２のそれぞれに対応して駆動素子８３が設けられる（図３〜図５参照）。
【００４６】
そのため、複数の流路モジュール８０に対して１つの第二タンク６２からインクを供給することができる。複数の流路モジュール８０のそれぞれに対して第二タンク６２に相当するタンクを設けた構成と比較し、シンプルなヘッドユニット６０とすることができる。ノズルプレート７０と各流路モジュール８０はフレーム９０を介して接続されるため、ノズルプレート７０と各流路モジュール８０を、例えば、接着剤又はねじによって直接接続する必要がない。複数の流路モジュール８０を個別に取り替えることができる。例えば、流路モジュール８０Ａ，８０Ｂ，８０Ｄ，８０Ｅ，８０Ｆ，８０Ｇのうち、流路モジュール８０Ａが故障した場合、フレーム９０から故障した流路モジュール８０Ａを取り外し、新たな流路モジュール８０Ａをフレーム９０に取り付けるといった作業により、流路モジュール８０Ａのみを交換することができる。また、流路モジュール８０Ａ，８０Ｆが故障した場合、フレーム９０から故障した流路モジュール８０Ａ，８０Ｆを取り外し、新たな流路モジュール８０Ａ，８０Ｆをフレーム９０に取り付けるといった作業により、流路モジュール８０Ａ，８０Ｆのみを交換することができる。多量のインク消費にも対応可能で且つ故障の際のメンテナンス性に優れた小型のインクジェットヘッド３１を形成するヘッドユニット６０を得ることができる。小型のインクジェットヘッド３１により、インクジェット記録装置１０の小型化を実現することができる。
【００４７】
（２）ノズルプレート７０に形成された位置決め孔７１とフレーム９０に設けた位置決めピン９１を介してノズルプレート７０をフレーム９０に取り付けることとした（図３及び図４参照）。流路モジュール８０Ａ，８０Ｂ，８０Ｄ，８０Ｅ，８０Ｆ，８０Ｇにそれぞれ形成された位置決め孔８４Ａ，８４Ｂ，８４Ｄ，８４Ｅ，８４Ｆ，８４Ｇとフレーム９０に設けた位置決めピン９４Ａ，９４Ｂ，９４Ｄ，９４Ｅ，９４Ｆ，９４Ｇを介して複数の流路モジュール８０をフレーム９０にそれぞれ取り付けることとした（図３及び図４参照）。そのため、フレーム９０に対して、ノズルプレート７０と複数の流路モジュール８０を精度よく取り付けることができる。各流路モジュール８０に形成されたインク流路８１の各支流部８２と、ノズルプレート７０に形成されたノズル群３３の各ノズル３２を連続した状態とすることができる。位置決め孔７１と位置決めピン９１は、フレーム９０に対するノズルプレート７０の位置を合わせる位置決め部として機能する。流路モジュール８０Ａ，８０Ｂ，８０Ｄ，８０Ｅ，８０Ｆ，８０Ｇにそれぞれ形成された位置決め孔８４Ａ，８４Ｂ，８４Ｄ，８４Ｅ，８４Ｆ，８４Ｇと、位置決めピン９４Ａ，９４Ｂ，９４Ｄ，９４Ｅ，９４Ｆ，９４Ｇの各組み合わせは、フレーム９０に対する流路モジュール８０Ａ，８０Ｂ，８０Ｄ，８０Ｅ，８０Ｆ，８０Ｇの位置を合わせる位置決め部としてそれぞれ機能する。
【００４８】
＜変形例＞
本実施形態は、次のようにすることもできる。以下に示す変形例のうちの幾つかの構成は、適宜組み合わせて採用することもできる。以下では上記とは異なる点を説明することとし、同様の点についての説明は適宜省略する。
【００４９】
（１）上記では、複数のヘッドユニット６０により形成されるインクジェットヘッド３１Ｋ，３１Ｍ，３１Ｙ，３１Ｃを含む記録部３０を移動部４０により短手方向に往復移動させて画像の記録を行うインクジェット記録装置１０を例に説明した（図１及び図２参照）。ヘッドユニット６０（図３参照）は、インクジェット記録装置の記録部がライン型のインクジェットヘッドを備える場合にも採用することができる。ライン型のインクジェットヘッドでは、短手方向に各色のインクを吐出するノズル３２が配列される。例えば、ライン型のインクジェットヘッドでは、ノズル３２は、短手方向において、記録媒体１４の幅Ｗ１（図１参照）以上の範囲に形成される。
【００５０】
例えば、ライン型のインクジェットヘッドは、短手方向に配列された一群のヘッドユニット６０を、長手方向に複数配列して形成される。長手方向の一方側（例えば、搬送方向の上流側）で短手方向に配列された複数のヘッドユニット６０による第一ユニット列と、長手方向の他方側（例えば、搬送方向の下流側）で短手方向に配列された複数のヘッドユニット６０による第二ユニット列は、短手方向に所定量だけずれた状態で配置される。このような配置は、上記同様、ノズル３２が存在しない短手方向の領域をなくすためである。ライン型のインクジェットヘッドによる記録部を備えるインクジェット記録装置では、移動部４０及び支持部４６は省略される。搬送部２０による記録媒体１４の搬送は、連続的に行われる。
【００５１】
（２）上記では、フレーム９０に対するノズルプレート７０の位置合わせに関し、ノズルプレート７０とフレーム９０で、対角位置となる２つの角部の内側に位置決め孔７１と位置決めピン９１をそれぞれ設け、２個の位置決め孔７１と２本の位置決めピン９１をそれぞれ嵌め合わせることとした（図３及び図４参照）。位置決め孔７１と位置決めピン９１は、図４とは異なる配置としてもよい。また、位置決め孔７１と位置決めピン９１の数は、３つ以上としてもよい。位置決め孔７１と位置決めピン９１の配置及び／又は数は、諸条件を考慮して適宜設定される。位置決め孔７１と位置決めピン９１は、鉛直方向に垂直な断面形状を円形としたが（図４参照）、これらの形状は、多角形状としてもよい。この場合、位置決め孔７１と位置決めピン９１の数は、各１つとすることもできる。位置決め孔８４Ａ，８４Ｂ，８４Ｄ，８４Ｅ，８４Ｆ，８４Ｇ及び位置決めピン９４Ａ，９４Ｂ，９４Ｄ，９４Ｅ，９４Ｆ，９４Ｇについても、図４に示すような円形ではなく、多角形状としてもよい。
【００５２】
２本の位置決めピン９１を省略し、位置決めピン９４Ａ，９４Ｂ，９４Ｄ，９４Ｅ，９４Ｆ，９４Ｇ（合計１２本）のうちの少なくとも２本（多角形状の場合：少なくとも１本）を、鉛直方向の下側となるフレーム９０の端面の側にも突出させ、この突出した部分を、位置決めピン９１に相当する位置決めピンとするようにしてもよい。この場合、ノズルプレート７０では、鉛直方向の下側となるフレーム９０の端面の側に突出した位置決めピンに対応した各位置に位置決め孔７１が設けられる。
【００５３】
フレーム９０に対するノズルプレート７０の位置合わせは、位置決め孔７１及び位置決めピン９１とは異なる構造の位置決め部によって行うようにしてもよい。ノズルプレート７０に位置決めピン９１に対応する位置決めピンを設け、フレーム９０に位置決め孔７１に対応する位置決め孔を設けるようにしてもよい。フレーム９０に対する流路モジュール８０Ａ，８０Ｂ，８０Ｄ，８０Ｅ，８０Ｆ，８０Ｇの各位置合わせについても、位置決め孔８４Ａ，８４Ｂ，８４Ｄ，８４Ｅ，８４Ｆ，８４Ｇ及び位置決めピン９４Ａ，９４Ｂ，９４Ｄ，９４Ｅ，９４Ｆ，９４Ｇとは異なる構造の位置決め部によって行うようにしてもよい。流路モジュール８０Ａ，８０Ｂ，８０Ｄ，８０Ｅ，８０Ｆ，８０Ｇに位置決めピン９４Ａ，９４Ｂ，９４Ｄ，９４Ｅ，９４Ｆ，９４Ｇに対応する位置決めピンをそれぞれ設け、フレーム９０に位置決め孔８４Ａ，８４Ｂ，８４Ｄ，８４Ｅ，８４Ｆ，８４Ｇに対応する位置決め孔をそれぞれ設けるようにしてもよい。
【００５４】
（３）上記では、フレーム９０に開口部９２，９３を設け、開口部９２に流路モジュール８０Ａ，８０Ｂ，８０Ｄを装着し、開口部９３に流路モジュール８０Ｅ，８０Ｆ，８０Ｇを装着することとした（図３及び図４参照）。フレームに設ける開口部の数は、諸条件を考慮して適宜設定される。例えば、フレームに１つの開口部を設け、１つの開口部に全ての流路モジュール８０を装着するようにしてもよい。
【符号の説明】
【００５５】
１０  インクジェット記録装置、  １４  記録媒体、  １５  記録面、  ２０  搬送部
３０  記録部、  ３１，３１Ｋ，３１Ｍ，３１Ｙ，３１Ｃ  インクジェットヘッド
３２，３２Ａ，３２Ｂ，３２Ｄ，３２Ｅ，３２Ｆ，３２Ｇ  ノズル
３３，３３Ａ，３３Ｂ，３３Ｄ，３３Ｅ，３３Ｆ，３３Ｇ  ノズル群
３４  キャリッジ、  ３５  吐出面、  ４０  移動部、  ４１，４２  プーリ
４３  タイミングベルト、  ４６  支持部
５０，５０Ｋ，５０Ｍ，５０Ｙ，５０Ｃ  第一タンク
５１，５１Ｋ，５１Ｍ，５１Ｙ，５１Ｃ  供給チューブ
６０  ヘッドユニット、  ６２  第二タンク
６３，６３Ａ，６３Ｂ，６３Ｄ，６３Ｅ，６３Ｆ，６３Ｇ  接続部
７０  ノズルプレート、  ７１  位置決め孔
８０，８０Ａ，８０Ｂ，８０Ｄ，８０Ｅ，８０Ｆ，８０Ｇ  流路モジュール
８１  インク流路、  ８２  支流部、  ８３  駆動素子
８４Ａ，８４Ｂ，８４Ｄ，８４Ｅ，８４Ｆ，８４Ｇ  位置決め孔
８５Ａ，８５Ｂ，８５Ｄ，８５Ｅ，８５Ｆ，８５Ｇ  取付孔
９０  フレーム、  ９１  位置決めピン、  ９２，９３  開口部
９４Ａ，９４Ｂ，９４Ｄ，９４Ｅ，９４Ｆ，９４Ｇ  位置決めピン
９５Ａ，９５Ｂ，９５Ｄ，９５Ｅ，９５Ｆ，９５Ｇ  ねじ孔、  ９６  ねじ
Ｗ１  幅
【図１】
0006415211.tif 000002
【図２】
0006415211.tif 000003
【図３】
0006415211.tif 000004
【図４】
0006415211.tif 000005
【図５】
0006415211.tif 000006